(57)【要約】      （修正有）【課題】被取付部材、例えば比較的大きな荷重を必要とした棚板を挿入支持できるボードアンカーが，区画部材、例えば石膏ボードのような比較的脆弱な素材の壁面への固定に耐えられ、かつ、中空壁面内部へメンテナンスを必要とした際の取付けと取外しが簡単に行える構造を提供する。【解決手段】区画部材の開口部に、前面側から挿入される被取付部材を挿入支持し、且つ断面形状コの字型に形成した被取付部材挿入凹所と、開口部の前面縁部に係合されるフランジとを一体に形成した受体、被取付部材挿入凹所を貫通したボルトを緊締または弛緩自在に螺入することにより受体と結合され、且つ、ボルトの締め込み時に共回りをして、区画部材の背面に当接されるナット、及び区画部材の背面に付けられ、ナットを所定位置で阻止するストッパーを備え、フランジとナットとにより区画部材を挟み込み受体を区画部材に対し取り付け取り外しを自在にした。【選択図】図４
2010043725.tif 000002
【特許請求の範囲】
【請求項１】
区画部材にあけられ前面から背面に貫通した開口部に、前面側から挿入される被取付部材を挿入支持し、且つ前記区画部材の厚みを利用した断面形状コの字型の前記被取付部材の取付接合面を形成し、前記断面形状コの字型の上部と下部の面で前記被取付部材を把持する被取付部材挿入凹所と、前記開口部の前面縁部に係合されるフランジとを一体に形成した受体、前記被取付部材挿入凹所を前面から背面に貫通したボルトを緊締または弛緩自在に螺入することにより前記受体と結合され、前記受体の前記開口部への取り付け時に前記受体と共に前記開口部から挿入され、且つ、回転時に前記開口部から挟圧面を張出する機能を有し、前記ボルトの締め込み時に共回りをして、前記区画部材の背面に当接されるナット、及び前記区画部材の背面に付けられ、前記ナットの供回りによる追動を所定位置で阻止するストッパーを備え、前記フランジと前記ナットとにより前記区画部材を挟み込み前記受体を前記区画部材に対し取り付け取り外し自在に装着したことを特徴とする被取付部材装着用ボードアンカー。
【請求項２】
断面が階段状に形成され、区画部材にあけられた開口部の前面上縁部と背面下縁部とにそれぞれ係合される垂直状の前面上部フランジと背面下部フランジとを有し、この両フランジをL型の後方受体背面部材と上面部材とによって繋ぎ, 前記上面部材と前記後方受体背面部材との折り曲げ部に長方形開口部を設けた後方受体、この前記後方受体と断面が逆向きの階段状に形成され、前記開口部の前面下縁部と係合される垂直状の前面下部フランジと, 前記長方形開口部に串差挿入され且つ背面上縁部に係合される舌片状フランジを有し、この両フランジを、L型の前方受体背面部材と載置棚部とによって繋いだ前方受体、及び、前記前方受体背面部材と前記後方受体背面部材との重合箇所において、前記前方受体背面部材を貫通すると共に前記後方受体背面部材のねじ山付孔に緊締、弛緩自在に螺入されるボルトとを備え、前記上面部材と前記前方受体背面部材と前記載置棚部とによって、前記開口部に前記被取付部材を挿入支持する被取付部材挿入凹所を形成し、且つ前記ボルトの締め付け操作により前記前方、後方受体部材の各フランジを各開口縁部に係合して前記前方、後方受体部材を前記区画部材に挟圧固定することを特徴とするボードアンカー。
【発明の詳細な説明】
【技術分野】
【０００１】
この発明は、区画部材、例えば部屋の壁面の壁厚を利用して被取付部材、例えば棚板を挿入支持する被取付部材装着用ボードアンカーに関するものである。
【背景技術】
【０００２】
従来のボードアンカーは、実開平０７−０３２２１２号のように壁にあけられた穴に抜止め部材を含むボードアンカーを挿入し、挿入後は抜止め部材を壁の裏面で拡開することによって、突出した面が受圧面となり、ボードアンカーを壁面に固定していた。また、被取付部材及び取付部材は壁面より突出したボードアンカーに外嵌させ取り着ける構造となっている。
【０００３】
従来のボードアンカーは、特開昭６３−３２８２０９号のようにナットと、これを収納する保持器とで構成され、その一方を他方に対して案内する案内手段を備えている。この組立体は、該案内手段が、ネジ軸心に沿った並進とその軸心周りの回転との案内を同時に行い、そしてナットは壁の開口から張出する少なくとも一つの区域を有し、ナットが保持器に対し所定位置にあるときはその組立体は壁の開口を通過でき、また、ナットが保持器に対し回転するのを阻止する係止手段をもナットと保持器は備えている構造となっている。
【０００４】
【特許文献１】実開平０７−０３２２１２号公報
【特許文献２】特開昭６３−３２８２０９号公報
【発明の開示】
【発明が解決しようとする課題】
【０００５】
従来の被取付部材装着用ボードアンカーは、区画部材、例えば部屋の壁面の壁厚を利用して被取付部材、例えば棚板を挿入支持する構造を備えたものではなかった。また、従来のボードアンカー装置は、例えば棚板などの固定には別の固定金具を必要として、部品点数も増える構造であり、ボードアンカーを壁に固定する部材の取り外しや再利用は困難な構造であった。この発明は、上記のような問題点を解消するためになされたもので、簡単に脱着及び再利用が可能なボードアンカー装置を得ることを目的とする。
【課題を解決するための手段】
【０００６】
この発明の被取付部材装着用ボードアンカーは、区画部材にあけられ前面から背面に貫通した開口部に、前面側から挿入される被取付部材を挿入支持し、且つ前記区画部材の厚みを利用した断面形状コの字型の前記被取付部材の取付接合面を形成し、前記断面形状コの字型の上部と下部の面で被取付部材を把持する被取付部材挿入凹所と、前記開口部の前面縁部に係合されるフランジとを一体に形成した受体、前記被取付部材挿入凹所を前面から背面に貫通したボルトを緊締または弛緩自在に螺入することにより前記受体と結合され、前記受体の前記開口部への取り付け時に前記受体と共に前記開口部から挿入され、且つ、回転時に前記開口部から挟圧面を張出する機能を有し、前記ボルトの締め込み時に共回りをして、前記区画部材の背面に当接されるナット、及び前記区画部材の背面に付けられ、前記ナットの供回りによる追動を所定位置で阻止するストッパーを備え、前記フランジと前記板状ナットとにより前記区画部材を挟み込み前記受体を前記区画部材に対し取付け取外し自在に装着したことを特徴とするものである。
【発明の効果】
【０００７】
石膏ボードのような比較的脆弱な素材の壁面でも、棚板などの比較的大きな荷重に耐えられ、且つ、中空壁面内部へメンテナンスを必要とした際の取付けと取外しが簡単に行えるボードアンカー構造となった。
【０００８】
また、板状の被取付部材を挿入支持する受体は、前記被取付部材の取付接合面の上部と下部の面を大きくして把持するため、区画部材の厚み、すなわち、受体の奥行きを利用した断面形状コの字型に構成することができる。
【０００９】
また、ナットと受体は、開口部へ簡単に挿入でき、開口部を挟持するために前記ナットはボルトの締め込み時の供回りによって追動することにより回転し、前記受体より垂設されているストッパーにより回転が止まり壁背面に前記ナットの一部が張出した挟圧面ができる。
【発明を実施するための最良の形態】
【００１０】
以下、図面に基づいて、この発明の各実施の形態を説明する。なお、各図間において、同一符号は同一あるいは相当部分を示す。
本発明のボードアンカーにおいて、「区画部材」は面状に形成された壁面のほかに、天井面、または床面である場合があり、「後方」とは、図２（ｂ）、図８（ｂ）の左側をいい、「背面」とは、後方側をいう。「前方」とは後方の反対側をいい、「前面」とは、前方側の面をいう。「上方」及び「下方」とは、それぞれボードアンカーを壁部に挿着した際における上側〔例えば図２（ｂ）図８（ｂ）における上側〕及び下側〔例えば図２（ｂ）、図８（ｂ）における下側〕をいい、「上面」とは、上方側の面をいい、「底面」とは、下方側の面をいい、それぞれが相対的関係を示すもので位置関係を特定限定するものではない。
【実施例１】
【００１１】
図１から図７は、この発明の実施形態１を示し、区画部材５、例えば壁面５に設置されるボードアンカーを示している。このボードアンカーは、被取付部材挿入凹所を有し、壁面開口部５ｃの一方側から装着される有底挿入部と、前記開口部５ｃに係合されるフランジ３ａを有する一体構造の受体３とナット２、及び、前記ナット２に螺入されるボルト４とを基本構成とするものである。
【００１２】
図１から図２において受体３は、上面部材３ｅとフランジ３ａ及び、底面部材３ｆと前記フランジ３ａ並びに、前記上面部材３ｅと前記底面部材３ｆとを連結する背面部材３ｄと、前記上面部材３ｅより前記背面部材３ｄから突出される形で垂設されているストッパー３ｃから形成されている。なお被取付部材挿入凹所は、前記上面部材３ｅと前記背面部材３ｄと前記底面部材３ｆから構成されている。ナット２は、図１（ｂ）に示すように、回転時に開口部５ｃから挟圧面２aを張出する機能を有し、中央部にネジ孔２ｂ（バーリング加工）が施された、例えば楕円形状の板状部材から形成されている。また、受体３は前記背面部材３ｄを進退自在に貫通することのできる孔３ｂを有し、壁面５の前記開口部５ｃに挿入後、壁前面上縁部５ａ及び前面下縁部５ｂの正面側より前記フランジ３aと壁背面５eから前記ナット２によって、前記壁面５をボルト４によって挟圧しながら締着するものである。
【００１３】
ナット２は壁面５の開口部５ｃへの挿入時、図３（ｂ）に示すように前記ナット２と受体３は平行状態にして挿入しているが、挿入後、壁背面５ｅに張出した前記ナット２をボルト４で締込む際に、その前記ボルト４の供回りに追動することにより前記ナット２が（イ）方向に回転し、図２（ｂ）及び図３（ａ）に示すように、前記受体３の上面部材３ｅより背面部材３ｂから張出される形で垂設されているストッパー３ｃにより回転が止まり、ナット２に挟圧面２ａができると共に、ナット２の挟圧面２ａとフランジ３ａの背面側で前記壁面５を挟圧できるようになされている。ボードアンカーを前記壁面５から取外す時は前記ボルト４を緩めると、供回りに追動することにより前記ナット２が（ロ）方向に逆回転し、図３（ｂ）に示すように前記受体３と平行に戻すことができるので、ボードアンカーを前記壁面５から取外すことができるようになされている。
【００１４】
図４から図６において、受体３は横断面形状が凹状の矩形になっており、例えば棚板（被取付部材）６の背面６ａを前記受体３のコの字形状凹所７前面（ハ）(ホ)方向より挿入し把持することができ、ずれ等防止に物品取付け具６ｂをビス６ｃでフランジ３aに締着できるようになされている。
【００１５】
図面７（ａ）〜（ｃ）は、受体３の幅が異なる３例を示し、ナット２及びボルト４はボードアンカーの幅によって増設できる構造となっている。
【００１６】
図５及び図６に示すように、被取付部材６のずれ等の防止のため、取付け具６ｃをビス６ｂでフランジ３ａに締着できる機能を備えた被取付部材６が挙げられる
【００１７】
実施形態１の変形例として、図２（ｂ）に示すように変形して横断面コの字形状の底面部材３ｆを２点鎖線３ｇのように前面側へ延長して、被取付部材の把持力を強化することも可能である。
【実施例２】
【００１８】
図８から図１４は、この発明の実施形態２を示し、既述の実施形態１と同一または相当する部分については、同一符号を使用し、詳細な説明を省略する。
【００１９】
図８において、ボードアンカーは、開口部５ｃを有する壁面５、壁前面５ｄの前面上部フランジ３０１と壁背面５eの背面下部フランジ３０５を有する矩形後方受体３００、壁面縁部５ｂの前面下部フランジ２０５と壁背面５ｅの背面上部舌片部２０１を有する矩形前方受体２００、ボルト４を備えている。
【００２０】
図１０において、後方受体３００は、開口部５ｃの上縁部５ａと背面下縁部４０２とにそれぞれ係合される垂直状の上部フランジ３０１と背面下部フランジ３０５とを有し、前面上部フランジ３０１と後方受体背面部材３０７を繋ぐ上面部材３ｅで、被取付部材６を挿入支持する被取付部材挿入凹所７の上部支持面３０２を形成し、且つ(前記上面部材３ｅから垂下した)前記背面下部フランジ３０５における前記開口部５ｃと対向する上方部分によって、前記被取付部材挿入凹所７の後方受体背面部材３０７とで構成されている。
【００２１】
図１１において、前方受体２００は、前記開口部５ｃの下縁部５ｂと背面上縁部４０１とにそれぞれ係合される垂直状の前面下部フランジ２０５と背面上部舌片部２０１とを有し、この前記前面下部フランジ２０５と前記背面上部舌片部２０１とを繋ぐ底面部材３ｆで、前記被取付部材挿入凹所部７の載置棚部２０４を形成し、且つ(前記底面部材３ｆから直立した) 前記背面上部舌片部２０１における前記壁面開口部５ｃと対向する下方部分によって、前記被取付部材挿入凹所部７の前方受体背面部材２０３とで構成されている。
【００２２】
図１０に示すように、被取付部材挿入凹所部７は、上面部材３ｅと後方受体背面部材３０７との折り曲げ部３０８に沿って長方形開口部３０３を設け、且つ、図１１に示すように、前方受体背面部材２０３には、この前記長方形開口部３０３に挿入可能な背面上部舌片部２０１を形成し、図１３（ｃ）に示すように、この前記背面上部舌片部２０１を前記長方形開口部３０３に串差挿通して、図１３（ｄ）に示すように、前記後方受体背面部材３０７と前記前方受体背面部材２０３とを重合させることにより、図８（ｂ）に示すような、上部支持面３０２と後方受体背面部材３０７、前方受体背面部材２０３と載置棚部２０４とから形成している。また。図１２に示すように、後方受体３００と前方受体２００が重なることによりできる凹所７で、被取付部材背面６ａを挿入支持できるようになされている。
【００２３】
図９において、ボルト４は、前方受体背面部材２０３を貫通すると共に後方受体背面部材３０７のねじ山付孔３０４に緊締、弛緩自在に螺入できるようになされている。
【００２４】
次に、図１３（ａ）から図１３（ｄ）に基づいて取付方法を説明する。後方受体３００を前記壁面５の開口部５ｃに（へ）方向に挿入後、図１３（ｂ）で示すように、前記後方受体３００に開けられた長方形開口部３０３より背面上部舌片部２０１を（ト）方向差し込み、図１３（ｃ）で示すように、前記後方受体３００に対し（チ）方向及び（リ）方向に嵌合される前方受体２００、前記壁面５の正面側より前記前方受体２００の孔２０２を貫通し前記後方受体３００のねじ山付孔３０４によって前記壁面５をボルト４の締め付け操作により前記前方、後方受体部材２００，３００の各フランジ２０５，３０１，３０５及び前記背面上部舌片部２０１を各開口縁部５ａ，５ｂ，４０１，４０２に係合して前記前方、後方受体部材２００，３００を前記壁部５に挟圧しながら締着するものである。また、ボードアンカーを前記壁面５から取外す時は前記ボルト４を緩めると、前記後方受体３００と前記前方受体２００は外れ、ボードアンカーを前記壁面５から取外すことができるようになされている。
【００２５】
実施形態２の変形例として、図１４に示すように、前方受体２００の想定として、載置棚部２０４から舌片状フランジ２０１を垂直上に立上げることで、例えば棚板（被取付部材）６の厚みの変化に対応できることも可能である。
【００２６】
図１から図１４の被取付部材用ボードアンカーは、取り付けの一例であって横方向の取り付けとなっているが、縦横斜め自在に取付可能な構造となっている。
【００２７】
本発明のボードアンカーが用いられる建物は、壁面を有するものであれば制限はなく、例えば、住宅、賃貸住宅、オフィス、ショールーム、店舗が挙げられる。
【００２８】
本発明のボードアンカーに取り付けられる部材は、横断面形状がコの字状の矩形受体に取り付けることができる部材であれば制限はない。例えば、棚板、テレビ台、カウンター、サインプレートなど、板状で形成された物品が挙げられる。
【図面の簡単な説明】
【００２９】
【図１】本発明に係るボードアンカー実施形態１の要部を示す図で、（ａ）は正面斜視図、（ｂ）は背面斜視図である。
【図２】本発明に係るボードアンカー実施形態１を示す図で、（ａ）は斜視図、（ｂ）は（ａ）に示すＸ−Ｘ線の断面図である。
【図３】本発明に係るボードアンカーを、壁面に取付け及び取外しの使用形態を示す図で（ａ）はボルト緊締時の背面斜視図，（ｂ）はボルト弛緩時の状態を示す背面斜視図である。
【図４】本発明に係るボードアンカーと被取付部材の一実施例を示す構成概要説明図である。
【図５】図４に示す被取付部材である棚を下方から見た斜視図である。
【図６】図５に示すＹ−Ｙ線の断面図である。
【図７】本発明に係る、ボードアンカーの応用例として、（ａ）〜（ｃ）は各ボードアンカーのサイズに応じた板状ナットの必要個数を示す構成概要説明図である。
【図８】本発明に係るボードアンカーの一実施例を示す図で、（ａ）は斜視図、（ｂ）は要部を示す図で（ａ）に示すＺ−Ｚ線の断面図である。
【図９】本発明に係るボードアンカー実施形態２を示す斜視図である。
【図１０】本発明に係るボードアンカー実施形態２の要部を示す図で、後方受体の横方向及び正面から見た平面図である。
【図１１】本発明に係るボードアンカーの実施形態２の要部を示す図で、前方受体の横方向及び正面から見た平面図である。
【図１２】本発明に係るボードアンカーと被取付部材の実施形態２を示す構成概要説明図である。
【図１３】本発明に係るボードアンカーを、壁面に取付け及び取外しの使用形態を示す図で，（ａ）は後方受体挿入時の背面斜視図，（ｂ）前方受体挿入時の背面斜視図、（ｃ）は後方受体と前方受体嵌合時の背面斜視図、（ｄ）はボルト弛緩背面斜視図である
【図１４】本発明に係る、ボードアンカーの応用例としての、斜視図である。
【符号の説明】
【００３０】
1. ボードアンカー
2. ナット
2ａ. 挟圧面
2ｂ. バーリング
3. 受体
3ａ. フランジ
3ｂ. ボルト穴
3ｃ. ストッパー
3ｄ. 背面部材
3ｅ. 上面部材
3ｆ. 底面部材
3ｇ. 2点鎖線
4. ボルト
5. 壁面
5ａ. 前面上縁部 
5ｂ. 前面下縁部
5ｃ. 開口部
5ｄ. 壁前面
5ｅ. 壁背面
6. 被取付部材
6ａ. 被取付部材背面
6ｂ. 取付け具
6ｃ. 取付けビス
7. 凹所
100. ボードアンカー
200. 前方受体
201. 舌片状フランジ
202. ボルト用貫通孔
203. 前方受体背面部材
204. 載置棚部
205. 前面下部フランジ
300. 後方受体
301. 前面上部フランジ  
302. 上部支持面
303. 受体開口部
304. ねじ山付孔
305. 背面下部フランジ
306. 部材挿入開口
307. 後方受体背面部材
308. 折り曲げ部
401. 背面上縁部 
402. 背面下縁部
501. 背面上部舌片部。
【図１】
2010043725.tif 000003
【図２】
2010043725.tif 000004
【図３】
2010043725.tif 000005
【図４】
2010043725.tif 000006
【図５】
2010043725.tif 000007
【図６】
2010043725.tif 000008
【図７】
2010043725.tif 000009
【図８】
2010043725.tif 000010
【図９】
2010043725.tif 000011
【図１０】
2010043725.tif 000012
【図１１】
2010043725.tif 000013
【図１２】
2010043725.tif 000014
【図１３】
2010043725.tif 000015
【図１４】
2010043725.tif 000016